(57)【要約】【課題】器具本体内に灯具を収納しやすく、収納時の意匠性の高い昇降式照明器具を提供する。【解決手段】光源を備えた灯具２００と、前記灯具を収容する器具本体１００と、前記灯具を前記器具本体に対して出し入れ自在に吊下げ支持するリフター部３００と、前記器具本体１００と前記灯具２００との隙間に設けられ、押圧部１１０によって前記灯具を押圧付勢しつつ、前記器具本体内に導くガイド部１１３とを有する。【選択図】図１
2011113750.tif 000002
【特許請求の範囲】
【請求項１】
光源を備えた灯具と、
前記灯具を収容する器具本体と、
前記灯具を前記器具本体に対して出し入れ自在に吊下げ支持するリフター部と、
前記器具本体と前記灯具との隙間に設けられ、押圧部によって前記灯具を押圧付勢しつつ、前記器具本体内に導くガイド部と、
を有する照明器具。
【請求項２】
請求項１に記載の照明器具であって、
前記ガイド部は、前記器具本体の内壁に装着され、
先端にローラー部材を有し、
前記ローラー部材が回転しつつ前記灯具を押圧付勢し、
前記灯具を前記器具本体内に導くようにした照明器具。
【請求項３】
請求項１または２に記載の照明器具であって、
ガイド部は、前記器具本体の中心軸に対して対称位置に配設された照明器具。
【請求項４】
請求項１乃至３のいずれかに記載の照明器具であって、
前記ガイド部は、前記器具本体の開口端近傍の内壁に装着された照明器具。
【請求項５】
請求項１乃至４のいずれかに記載の照明器具であって、
前記押圧部はばねである照明器具。
【請求項６】
請求項１乃至５のいずれかに記載の照明器具であって、
前記ガイド部は、前記器具本体の開口端近傍と、前記開口端近傍から所定の距離を隔てた位置に複数段で配設された照明器具。
【発明の詳細な説明】
【技術分野】
【０００１】
本発明は、昇降式照明器具に係り、特にオートリフタ式の照明器具のガイド部の構造に関する。
【背景技術】
【０００２】
照明器具を自動的に昇降させるオートリフタは、高い天井に取り付ける照明器具のメンテナンスおよび点検を、地上にてスイッチ操作で容易に行うことができ、メンテナンスの大幅な省力化を可能にすることから、工場や体育館などの高い天井に、広く用いられるようになってきている。
【０００３】
このような昇降式照明器具では、天井に取り付けられた固定枠から複数のワイヤで灯具を吊り下げるとともに、固定枠に設けたリフターによってこのワイヤを巻出し巻取りすることで灯具が昇降される。そして、通常時には、ワイヤを巻取り状態に保持することで、灯具が固定枠内に収納される。
【０００４】
ところで、このような昇降式照明器具においては、ワイヤが撚り線で構成されているため、灯具を昇降する際にワイヤに捩りが生じて灯具が水平面に沿って振動する。この場合、灯具を下降させる際には、広い空間内で灯具が振動するだけであるため、特に大きな問題は生じないが、灯具を上昇させて固定枠内に収納する際に、位置ずれが生じることがある。
【０００５】
例えば、灯具に設けられる光源が、複数のランプを一列に配置したものや、直管形蛍光灯などで構成されている場合、灯具のセードの形状は長方形など、角形に形成されることが多い。そして、これに併せて、この灯具を収納する固定枠もその形状に合致するように角形に形成されている。したがって、このような形状を有する灯具を上昇させて固定枠内に収納する場合、灯具が水平面に沿って振動していると、その各角部が固定枠の各辺の底部に当接してワイヤをそれ以上巻取ることができず灯具を固定枠内に収納できなくなったり、リフターに過剰な負荷が加わって故障の原因となることがある。
【０００６】
そこで、上昇する灯具のセードの稜線部分を押圧してセードの振動方向とは逆方向の旋回力を与えるバネ部材を有する振動抑止機構を設け、この振動抑止機構の付勢力で灯具の振動を抑制したり（例えば、下記の特許文献１参照）、あるいは、灯具の振動を検出する捩れ検出スイッチを設け、灯具が所定量以上振動していると捩れ検出スイッチがオンしてリフターによるワイヤの巻取り動作を停止し、この停止に伴い灯具の振動が所定量以下になると捩れ検出スイッチをオフになってリフターによるワイヤの巻取り動作を再開するようにしたもの（例えば、下記の特許文献２参照）などが提案されている。
【０００７】
また、本出願人は、灯具の一部が前記固定枠内に収納される直前に、灯具の振動が略停止するまでリフターによるワイヤの巻取り動作を一時的に停止させ、予め設定された規定時間経過後に前記リフターを再起動する制御を行うコントローラを用いた昇降式照明器具を提案している（特許文献３）。
また、この装置では、固定枠と灯具のいずれか一方側には係止片が突設され、他方側には係止片と当接して係止するガイド係止溝が形成されている。
【先行技術文献】
【特許文献】
【０００８】
【特許文献１】実開昭６０−０７１０１２号公報
【特許文献２】実開昭５９−００２０１３号公報
【特許文献３】特開２００９−１６５０１９号公報
【発明の概要】
【発明が解決しようとする課題】
【０００９】
しかしながら、このようなリフターでは、灯具を器具本体に収納する際に位置決めを果たすガイド部を設けていても、灯具とガイド部とのクリアランスをゼロにするのは困難であり、このため、このクリアランスの範囲で灯具の位置が変位し、意匠性を損なう場合があった。
本発明は前記実情に鑑みてなされたもので、器具本体内に灯具を収納しやすく、収納時の意匠性の高い昇降式照明器具を提供することを目的とする。
【課題を解決するための手段】
【００１０】
そこで本発明の照明器具は、光源を備えた灯具と、前記灯具を収容する器具本体と、前記灯具を前記器具本体に対して出し入れ自在に吊下げ支持するリフター部と、前記器具本体と前記灯具との隙間に設けられ、押圧部によって前記灯具を押圧付勢しつつ、前記器具本体内に導くガイド部とを有する。
この構成により、灯具と器具本体との隙間にガイド部が設けられており、ガイド部は灯具を押圧付勢する押圧部によって灯具に密接するため、スムーズなガイド機能を果たすことが出来るとともに、灯具とガイド部とのクリアランスをゼロにすることで灯具の位置の変位を防止することが出来る。
【００１１】
また、本発明は、上記照明器具において、前記ガイド部が、前記器具本体の内壁に装着され、先端にローラー部材を有し、前記ローラー部材が回転しつつ前記灯具を押圧付勢し、前記灯具を前記器具本体内に導くようにしたことを特徴とする。
この構成により、摺動抵抗の低減をはかることができ、ガイドとしての機能性も十分に具有する。
【００１２】
また、本発明は、上記照明器具において、ガイド部は、前記器具本体の中心軸に対して対称位置に配設されたことを特徴とする。
この構成によれば、両側の押圧部で互いに押圧した場合にも力が逆方向にかかるためけん制し合いながら灯具が中心軸に沿った位置を保持するようにガイドすることができる。
【００１３】
また、本発明は、上記照明器具において、前記ガイド部は、前記器具本体の開口端近傍の内壁に装着されたことを特徴とする。
この構成によれば、灯具が器具本体の開口端から器具本体内に入るときに器具本体に対して効率よく位置規制を行うことができる。
【００１４】
また、本発明は、上記照明器具において、前記押圧部はばねであることを特徴とする。
この構成によれば、良好に付勢することができる。
【００１５】
また、本発明は、上記照明器具において、前記ガイド部は、前記器具本体の開口端近傍と、前記開口端近傍から所定の距離を隔てた位置に複数段で配設されたことを特徴とする。
この構成によれば、器具本体が長い場合にも効率よく位置規制を行うことが可能となる。
【００１６】
また吊下げ部は、取り付け接点で回動自在に取り付けられるようにしてもよい。この構成によれば、吊り下げ部は、回動自在に支持されるため、あらかじめ離隔して配置する必要がなくなる。
【発明の効果】
【００１７】
以上説明してきたように、本発明によれば、灯具と器具本体との隙間にガイド部が設けられており、ガイド部は灯具を押圧付勢する押圧部によって灯具に密接するため、スムーズなガイド機能を果たすことが出来るとともに、灯具とガイド部とのクリアランスをゼロにすることで灯具の位置の変位を防止することが出来る。
【図面の簡単な説明】
【００１８】
【図１】本発明の実施の形態１の照明器具を示す断面図
【図２】本発明の実施の形態１の照明器具を示す下視図
【図３】同照明器具の押圧部の要部拡大分解斜視図
【図４】本発明の実施の形態１の照明器具において灯具が収納された状態を示す側面図
【図５】本発明の実施の形態１の照明器具において灯具が昇降されている状態を示す側面図
【図６】本発明の実施の形態２の照明器具において灯具が収納された状態を示す側面図
【図７】本発明の実施の形態２の照明器具において灯具が昇降されている状態を示す側面図
【図８】本発明の昇降式照明器具を示す斜視図
【図９】本発明の昇降式照明器具を示す斜視図
【発明を実施するための形態】
【００１９】
以下本発明の実施の形態について図面を参照しつつ詳細に説明する。
（実施の形態１）
図１および図２は本発明の実施の形態１の昇降式照明器具を示す図であり、図１は、断面図、図２は、この昇降式照明器具の下視図である。
【００２０】
本実施の形態の照明器具１は、図１および２に示すように、光源２０１を備えた灯具２００と、円筒状に成型された鋼板からなり、灯具２００を出し入れ自在に収納する器具本体１００と、前記灯具２００を前記器具本体１００に対して出し入れ自在に吊下げ支持するリフター部３００と、前記器具本体１００と前記灯具２００との隙間に設けられ、コイルばねで構成された押圧部１１０によって前記灯具２００を押圧付勢しつつ、前記器具本体１００内に導くガイド部１１３とを有する。ここでガイド部１１３は、図２に示すように器具本体１００の中心軸に対して対称位置に配設されており、押圧部１１０によって互いに押圧した場合にも力が逆方向にかかるためけん制し合いながら灯具が中心軸に沿った位置を保持するようにガイドすることができるようになっている。
【００２１】
灯具２００のカバー体２０２が、器具本体１００との間隔を個別に設定可能な吊下げ部としてのステンレス製のワイヤ２０５を介して装着される。
【００２２】
そして、この昇降式照明器具１は図１および図２に示すように、天井面Ｔに形成された穴に装着された器具本体１００内で、灯具２００がリフター部３００によって昇降可能に支持されている。灯具２００は、光源２０１としての高輝度放電ランプ（ＨＩＤ）と、この周りを覆うカバー体２０２と、このカバー体２０２にソケット(図示せず)を介して光源２０１が装着されており、カバー体２０２がワイヤ２０５（図１では、ワイヤは見えない。図５参照）で吊り下げられている。ここで２０３は安定器である。また反射面２０６は光源２０１に対して位置が固定されている。なおこのワイヤ２０５と器具本体１００との接点はワイヤグリップ（図示せず）によって回動自在となっている。一方、このワイヤ２０５とカバー体２０２との接点はボールジョイントなどを介して回動自在となっている。また、下端開口部には補助反射板２０７と防水用の透光性ガラス２０８とが設けられ、導光性を高めるとともに湿気や雨を防ぐように構成されている。
【００２３】
そして、図３に要部拡大分解斜視図を示すように押圧部１１０は、器具本体１００の内壁に固定された把持具１１５に対して回動自在でかつ平行移動可能に装着された回転軸１１４とこの回転軸１１４の周りに装着されたローラ１１２と、付勢部１１１としてのばね部とで構成され、器具本体１００に対し灯具２００を隙間なしに真ん中に収納できるように構成している（図２参照）。
【００２４】
取り付けに際しては、ワイヤグリップを回転し、ワイヤを巻きつけて短くしたり、巻きつけたワイヤを巻き戻したりすることで、各ワイヤの長さを調整し、カバー体２０２が水平となるように調整する。図２に示すように、ガイド部の存在と、ワイヤの調整により、カバー体２０２が水平となるようにし器具本体の中心に収納されることとなる。このため、意匠性が向上するだけでなく、ランプからカバー体を介して出射される光も良好に拡散される。
【００２５】
この構成によれば、カバー体２０２は、器具本体１００との間隔を個別に設定可能な４本のワイヤによって押圧部１１０で付勢しながら器具本体１００に取り付けられるため、灯具２００のカバー体２０２を水平に維持することができる。
【００２６】
また、ワイヤ（２０５）は、器具本体１００との取り付け接点およびカバー体２０２との取り付け接点で回動自在に取り付けられる。
【００２７】
図４および図５は灯具２００を器具本体１００に収納した時と器具本体１００から引き出し下降させた時の状態を示す図である。
図４および図５は、灯具２００（カバー体２０２とワイヤ２０５）と器具本体１００（押圧部１１０）の位置関係を示す側面比較模式図である。
図４および図５から明らかなように、灯具２００は器具本体１００内で良好に位置の保持がなされている。
【００２８】
以上説明してきたように、本実施の形態によれば、押圧部１１０によって灯具２００は、押圧部１１０によってガイド部１１３とのクリアランスをゼロにすることができ、灯具２００は器具本体１００内で正しい位置を保持することができる。このため、意匠性に優れている。またワイヤ２０５は、カバー体２０２および器具本体１００との接点とで回動自在に支持されるため、カバー体が熱などにより伸張しても、ワイヤを押し引きしながら正しい位置に収まる。従って意匠性が向上する。
また、吊り下げ部を構成するワイヤ２０５は、器具本体１００との取り付け接点およびカバー体２０２との取り付け接点で回動自在に支持される。
【００２９】
なお、吊り下げ部を構成するワイヤを、柔軟性を持つ材料で構成することで、ワイヤ自体が回転やねじれを吸収するようにすることができる。
【００３０】
（実施の形態２）
次に本発明の実施の形態２について説明する。
前記実施の形態１では、押圧部１１０およびガイド部１１３は前記器具本体の開口端近傍の内壁に装着したが、本実施の形態では、図６および図７に示すように、ガイド部は、器具本体の開口端近傍と、前記開口端近傍から所定の距離を隔てた位置に２段で配設されたことを特徴とする。
この構成によれば、器具本体が長い場合にも効率よく位置規制を行うことが可能となる。
【００３１】
図６および図７は、灯具２００（カバー体２０２とワイヤ２０５）と器具本体１００（押圧部１１０）の位置関係を示す側面比較図である。
図６は灯具２００を器具本体１００に収納した時の状態を示す図であり、図７は灯具２００を器具本体１００から引き出し下降させた時の状態を示す図である。
図６および図７から明らかなように、灯具２００は器具本体１００内でさらに良好に位置の保持がなされていることがわかる。
図８および図９に、この昇降式照明器具を示す斜視説明図を示す。
【００３２】
なお、本実施の形態では、光源として高輝度放電ランプについて説明したがこれに限定されることなく、ハロゲン灯をはじめ種々の光源に適用可能である。
【００３３】
また、前記実施の形態では、器具本体は断面円形であったが、これに限定されることなく、方形であってもよい。方形を用いる場合には辺に沿って長手方向に延びる押圧部を形成するようにしてもよい。
【符号の説明】
【００３４】
１  照明器具
１００  器具本体
１１０  押圧部
１１１  付勢部
１１２  ローラ
１１３  ガイド部
１１４  回転軸
１１５  把持具
２００  灯具
２０１  光源
２０２  カバー体
２０５  ワイヤ
２０６  反射面
２０７  補助反射板
２０８  透光性ガラス
３００  リフター部
Ｔ  天井面
【図１】
2011113750.tif 000003
【図２】
2011113750.tif 000004
【図３】
2011113750.tif 000005
【図４】
2011113750.tif 000006
【図５】
2011113750.tif 000007
【図６】
2011113750.tif 000008
【図７】
2011113750.tif 000009
【図８】
2011113750.tif 000010
【図９】
2011113750.tif 000011